(57)【特許請求の範囲】
【請求項１】
底板と、該底板の周縁に沿って設けられた側板と、上面開口を覆う蓋体と、を有し、被梱包物が収容される外箱と、
前記被梱包物の外周面に当接して該被梱包物を包囲し、前記側板との間に間隙を介して対向する筒状の中枠と、
該中枠と前記側板との間に介装される緩衝材と、を備え、
前記緩衝材は、
前記中枠の上縁に係止される係止片と、
該係止片から前記中枠の外面に沿って垂下される、シート状の梱包材料で形成されたベース部と、
該ベース部に設けられて、該ベース部から外方に突出して前記側板の内面に当接する本体部と、を有し、
更に、
前記蓋体と前記被梱包物との間に介装される天面緩衝材を備え、
該天面緩衝材は、
前記中枠の上縁に係止されて、該上縁から外方に突出して前記側板の内面に当接する係止片と、
前記被梱包物の上方に配置されて前記蓋体の内面に当接する本体部と、を有することを特徴とする梱包箱。
【請求項２】
底板と、該底板の周縁に沿って設けられた側板と、上面開口を覆う蓋体と、を有し、被梱包物が収容される外箱と、
前記被梱包物の外周面に当接して該被梱包物を包囲し、前記側板との間に間隙を介して対向する筒状の中枠と、
該中枠と前記側板との間に介装される緩衝材と、を備え、
前記緩衝材は、
前記中枠の上縁に係止される係止片と、
該係止片から前記中枠の外面に沿って垂下される、シート状の梱包材料で形成されたベース部と、
該ベース部に設けられて、該ベース部から外方に突出して前記側板の内面に当接する本体部と、を有し、
更に、
前記外箱と前記中枠との間に収容される付属品ケースを備え、
前記中枠は、横長の長方形状の梱包材料を縦方向に延びる折り線で筒状に曲げて、両側端縁を互いに突き合わせることで形成されており、
前記付属品ケースには係合部が形成され、前記中枠の前記両側端縁には、前記係合部が係合する被係合部が形成され、前記係合部が前記被係合部に係合することで、前記中枠の前記両側端縁が突き合わされて前記付属品ケースによって固定されることを特徴とする梱包箱。
【請求項３】
前記蓋体と前記被梱包物との間に介装される天面緩衝材を備え、
該天面緩衝材は、
前記中枠の上縁に係止されて、該上縁から外方に突出して前記側板の内面に当接する係止片と、
前記被梱包物の上方に配置されて前記蓋体の内面に当接する本体部と、を有することを特徴とする請求項２に記載の梱包箱。
【請求項４】
前記緩衝材の前記本体部は、前記ベース部を折り曲げることで該ベース部と一体に設けられていることを特徴とする請求項１〜３のいずれか１項に記載の梱包箱。
【請求項５】
前記被梱包物が画像形成装置であることを特徴とする請求項１〜４のいずれか１項に記載の梱包箱。
【発明の詳細な説明】
【技術分野】
【０００１】
本発明は、運搬時や保管時等において被梱包物を保護するための梱包箱に関する。
【背景技術】
【０００２】
プリンター、複写機、ファクシミリ、複合機等の画像形成装置等には、扉やカバー、蓋等の開閉部が側面に設けられているものがある。このような開閉部が設けられた画像形成装置を運搬したり保管したりする際には、開閉部が不用意に開かないようにテープ等の接着部材で固定されているが、このような接着部材を設けると、梱包作業や開梱作業に手間が掛かったり、接着部材のコストがかかったりするという問題がある。
【０００３】
そこで、特許文献１に記載されている梱包箱では、補強用として外箱の内周面に沿うように設けられていた中枠を画像形成装置の外周に密着させて包囲することで、開閉部を固定する接着部材を廃止できるようになっている。
【０００４】
この特許文献１に記載されている梱包箱では、中枠の上側の四隅及び下側の対向する２つの辺と外箱との間に緩衝材をそれぞれ介装させて、外箱に対して中枠を位置決めしている。緩衝材は、パルプモールドや発泡樹脂等を原材料として形成されている。
【先行技術文献】
【特許文献】
【０００５】
【特許文献１】特開２０１４−２３４１７６号公報
【発明の概要】
【発明が解決しようとする課題】
【０００６】
しかしながら上記の特許文献１に記載されている梱包箱では、緩衝材は、中枠と外箱の上部と下部とに配置されて、上下方向の中央付近には配置されていないため、被梱包物の上下方向の中央付近にかかる衝撃には十分な強度が得られない虞がある。そこで、被梱包物の上下方向の中央部まで達するように緩衝材を形成した場合、緩衝材の原材料の使用量が増えてコストが高くなったり、緩衝材の重量が増加したりする。さらに、緩衝材が大きくなって嵩張り、取扱いや廃棄しづらくなるという問題がある。
【０００７】
また、この特許文献１に記載されている梱包箱では、中枠が、横長の梱包材料を四角筒状に折り曲げ、側端縁を互いに突き合わせることで筒状に形成される場合がある。この場合、突き合わされた側端縁が開いてしまうと、中枠の強度が低下したり、外箱を被せる際に邪魔になったりしてしまうので、突き合わされた側端縁を開かないように固定する必要があるという問題もある。
【０００８】
本発明は上記事情を考慮し、原材料の使用量を削減可能な緩衝材を備えた梱包箱を提供することを目的とする。
【課題を解決するための手段】
【０００９】
上記目的を達成するため、本発明の梱包箱は、底板と、該底板の周縁に沿って設けられた側板と、上面開口を覆う蓋体と、を有し、被梱包物が収容される外箱と、前記被梱包物の外周面に当接して該被梱包物を包囲し、前記側板との間に間隙を介して対向する筒状の中枠と、該中枠と前記側板との間に介装される緩衝材と、を備え、前記緩衝材は、前記中枠の上縁に係止される係止片と、該係止片から前記中枠の外面に沿って垂下される、シート状の梱包材料で形成されたベース部と、該ベース部に設けられて、該ベース部から外方に突出して前記側板の内面に当接する本体部と、を有することを特徴とする。
【００１０】
このような構成を採用することにより、緩衝材を形成する原材料の使用量を削減できるので、緩衝材のコスト削減や軽量化が可能となる。また、緩衝材が嵩張らないので、取扱いや廃棄を容易にできる。また、本体部を、被梱包物の上下方向及び左右方向において異なる複数の位置に対応するように分散して配置できるので、原材料の使用量の増加を抑えつつ、被梱包物の上下方向における中央付近に対する耐衝撃性を緩和することができる。
【００１１】
本発明の梱包箱において、前記本体部は、前記ベース部を折り曲げることで該ベース部と一体に設けられていることを特徴としても良い。
【００１２】
このような構成を採用することにより、折り曲げ作業のみの簡単な作業で緩衝材を組み立てることができる。
【００１３】
本発明の梱包箱において、前記蓋体と前記被梱包物との間に介装される天面緩衝材を備え、該天面緩衝材は、前記中枠の上縁に係止されて、該上縁から外方に突出して前記側板の内面に当接する係止片と、前記被梱包物の上方に配置されて前記蓋体の内面に当接する本体部と、を有することを特徴としても良い。
【００１４】
このような構成を採用することにより、被梱包物の上方に所定の高さの空間を確保できるので、上方からの衝撃に対する緩和効果を得ることができる。
【００１５】
本発明の梱包箱において、前記被梱包物が画像形成装置であることを特徴としても良い。
【００１６】
このような構成を採用することにより、画像形成装置の梱包時に、側面に開閉可能に設けられたカバーや扉等を固定するための接着部材が不要となるので、コスト低減が可能となると共に、梱包及び開梱作業を簡易化できる。
【００１７】
本発明の梱包箱において、前記外箱と前記中枠との間に収容される付属品ケースを備え、前記中枠は、横長の長方形状の梱包材料を縦方向に延びる折り線で筒状に曲げて、両側端縁を互いに突き合わせることで形成されており、前記付属品ケースには係合部が形成され、前記中枠の前記両側端縁には、前記係合部が係合する被係合部が形成され、前記係合部が前記被係合部に係合することで、前記中枠の前記両側端縁が突き合わされて前記付属品ケースによって固定されることを特徴としても良い。
【００１８】
このような構成を採用することで、従来より備えられている付属品ケースで中枠を筒状に固定できる。
【発明の効果】
【００１９】
本発明によれば、被梱包物の周囲を密接して包囲する中枠を備えた梱包箱において、緩衝材の原材料の使用量を削減することができる。
【図面の簡単な説明】
【００２０】
【図１】本発明の一実施形態に係る梱包箱を示す斜視図である。
【図２】本発明の一実施形態に係る梱包箱において、中枠を示す斜視図である。
【図３】本発明の一実施形態に係る梱包箱において、中枠と左右緩衝材と天面緩衝材と付属品ケースとを模式的に示す斜視図である。
【図４】本発明の一実施形態に係る梱包箱における中枠の展開図である。
【図５】本発明の一実施形態に係る梱包箱における左緩衝材の展開図である。
【図６】本発明の一実施形態に係る梱包箱における左緩衝材の斜視図である。
【図７】本発明の一実施形態に係る梱包箱における右隅緩衝材の展開図である。
【図８】本発明の一実施形態に係る梱包箱における右隅緩衝材の斜視図である。
【図９】本発明の一実施形態に係る梱包箱における付属品ケースの展開図である。
【図１０】本発明の一実施形態に係る梱包箱における付属品ケースの斜視図である。
【図１１】本発明の一実施形態に係る梱包箱において、中枠に左緩衝材を取り付けた状態を示す斜視図である。
【図１２】本発明の一実施形態に係る梱包箱において、中枠に右隅緩衝材を取り付けた状態を示す斜視図である。
【図１３】本発明の一実施形態に係る梱包箱において、中枠を付属品ケースで固定した状態を示す斜視図である。
【発明を実施するための形態】
【００２１】
以下、図面を参照しつつ本発明の一実施形態に係る梱包箱について説明する。
【００２２】
図１〜図３を参照して、画像形成装置が梱包される梱包箱について説明する。図１は梱包箱の斜視図、図２は外箱の外ケースを取り外した梱包箱の斜視図、図３は中枠、緩衝材、付属品ケースの斜視図である。以下の説明において、前後方向及び左右方向及び上下方向は図１に示される方向を基準とする。
【００２３】
梱包箱１は、図１に示されるように立方体状の外箱２と、外箱２の内側に配置される、四角筒状の中枠（図２参照）と、外箱２と中枠３との間に介装される側面緩衝材４及び天面緩衝材５（図３参照）、同梱物が収容されて外箱２と中枠３との間に収容される付属品ケース６（図３参照）と、を備えている。
【００２４】
外箱２は、図１に示されるように、上面が開口した底ケース１０と、下面が開口した外ケース１１と、によって構成されている。底ケース１０は、矩形状の底板１０ａと、底板１０ａの周縁から立設された四角筒状の周壁部１０ｂと、底板１０ａの下面に固定されたパレット１０ｃと、を有する。外ケース１１は、四角筒状の周壁部１１ａと、周壁部１１ａの対向する上縁に折り曲げ線を介して連接されたフラップ１１ｂと、を有し、各フラップ１１ｂを内側に折り曲げることで上面が閉止されるようになっている。
【００２５】
外ケース１１は、底ケース１０の内側に嵌合可能な寸法に形成されており、外ケース１１を底ケース１０の内側に嵌合して、外ケース１１の周壁部１１ａと底ケース１０の周壁部１０ｂとを連結することで、外箱２が形成される。
【００２６】
次に、中枠３について図２と図４を参照して説明する。図４は中枠の展開図である。中枠３は、図２に示されるように、上下が開口した四角筒状の形状であり、外箱２の外ケース１１と同等の高さを有する。
【００２７】
中枠３は、図４に示されるように、横長の長方形状のシート材料２０（例えば、段ボール材料）を、縦方向に延びる第１〜第４の折り曲げ線２１〜２４で折り曲げ、両側端縁２０ａ、２０ｂを互いに突き合わせることによって四角筒状に形成されている。ここで、梱包材料２０の一方の側端縁２０ａと第１折り曲げ線２１とで区画される部分を第１側板２５、第１折り曲げ線２１と第２折り曲げ線２２で区画される部分を第２側板２６、第２折り曲げ線２２と第３折り曲げ線２３で区画される部分を第３側板２７、第３折り曲げ線２３と第４折り曲げ線２４で区画される部分を第４側板２８、第４折り曲げ線２４と他方の側端縁２０ｂで区画される部分を第５側板２９とする。
【００２８】
シート材料２０の両側端縁２０ａ、２０ｂには、上下方向の中央付近に、それぞれ係止片３１が形成されている。各係止片３１は、それぞれ側端縁２０ａ、２０ｂから内方向に向かう下スリットと、下スリットの端部から上方向に向かう縦スリットと、からなるＬ字状のスリット３２で画されて、上辺に沿って折り曲げ可能に形成されている。
【００２９】
第１側板２５と第５側板２９の上縁には、左右方向における中央付近に、切り欠き３３が形成されている。各切り欠き３３は、それぞれ第１折り曲げ線２１、第４折り曲げ線２４に近い側に設けられた縦方向に延びるスリット部３３ａと、スリット部３３ａに連続して設けられた、スリット部３３ａよりも浅く幅の広い溝部３３ｂと、を有する。
【００３０】
第２側板２６と第４側板２８の上縁には、左右方向の中央付近に、縦方向に延びるスリット３４がそれぞれ形成されている。第３側板２７には、第２折り曲げ線２２と第３折り曲げ線２３に近い位置に、幅が広く浅い溝部３５がそれぞれ形成されている。また、図４に示されるように、各側板の下縁には、所定の位置に切り欠き３６が形成されている。
【００３１】
シート材料２０を各折り曲げ線２１〜２４で折り曲げて側端縁２０ａ、２０ｂを突き合わせることで、四角筒状の中枠３が形成される。
【００３２】
次に、図３と、図５〜図６を参照して側面緩衝材４について説明する。図５は左側緩衝材の展開図、図６は左側緩衝材の組立図である。
【００３３】
側面緩衝材４は、図３に示されるように、中枠３の第１側板２５、第２側板２６、第３側板２７と外箱２との間に介装される左側緩衝材４１と、中枠３の第３側板２７、第４側板２８、第５側板２９と外箱２との間に介装される右側緩衝材４２と、を有する。緩衝材４は、梱包材料（例えば段ボール材料）によって形成される。
【００３４】
左側緩衝材４１は、図５に示されるように、一枚の横長の長方形状の段ボール製のシート材料４５を折り曲げることによって形成される。シート材料４５は、上下方向に延びる２本の折り曲げ線４６によって、図５の左から順に、第１〜第３ベース部４７、４８、４９に区画されている。第２ベース部４８は、中枠３の第２側板２６の幅と同等の幅を有し、第１ベース部４７と第２ベース部４９は、第２ベース部４８よりも狭い幅を有する。
【００３５】
第１ベース部４７の上縁には、折り曲げ線５０を介して折り曲げ可能な係止片５１が連接されている。また、第１ベース部４７の下縁には、左右方向に延びる複数の折り曲げ線によって四角筒状に折り曲げられる折り曲げ片５２が連接されており、第１ベース部４７の中央付近には、四角筒状に折り曲げられた折り曲げ片５２が係止される固定片５３が形成されている。
【００３６】
第２ベース部４８の上縁には、下方に延びる２本の切断線が形成されており、この２本の切断線間の部分は、左右方向に延びる複数の折り曲げ線によって四角筒状に折り曲げられる上折り曲げ片５５を形成している。第２ベース部４８の中央付近には、四角筒状に折り曲げられた上折り曲げ片５５が係止される一対の上固定片５６が形成されている。また、第２ベース部４８の下縁には、左右方向に延びる複数の折り曲げ線によって四角筒状に折り曲げられる下折り曲げ片５７が連接されており、第２ベース部４８の上固定片５６の下方には、四角筒状に折り曲げられた下折り曲げ片５７が固定される一対の下固定片５８が形成されている。
【００３７】
第３ベース部４９の上縁には、ほぼ中央に、上下方向に延びるスリット５９が形成されており、スリット５９の右側には、折り曲げ線６０を介して折り曲げ可能な係止片６１が連接されている。また、第３ベース部４９の下縁には、左右方向に延びる複数の折り曲げ線によって四角筒状に折り曲げられる折り曲げ片６２が連接されており、第３ベース部４９の中央付近には、四角筒状に折り曲げられた折り曲げ片６２が固定される固定片６３が形成されている。
【００３８】
各折り曲げ片５２、５５、５７、６２を四角筒状に折り曲げてそれぞれ対応する固定片５３、５６、５８、６３で係止することにより、図６に示されるように、第１ベース部４７には第１本体部６５が、第２ベース部４８には第２本体部６６と第３本体部６７とが、第３ベース部４９には第４本体部６８が、それぞれのベース部から外方向に突出するように形成される。
【００３９】
さらに、第１ベース部４７と第３ベース部４９とを、折り曲げ線４６で第２ベース部４８に対して直角に折り曲げることで、左側緩衝材４１が組み立てられる。
【００４０】
右側緩衝材４２は、左側緩衝材４１と同様の構成であるので、説明を省略する。
【００４１】
次に、図３と、図７〜図８を参照して天面緩衝材５について説明する。図７は右隅緩衝材の展開図、図６は右隅緩衝材の組立図である。
【００４２】
天面緩衝材５は、図３に示されるように、中枠３の上縁の左前隅に係止されて、被梱包物とフラップ１１ｂとの間に介装される左隅緩衝材７１と、中枠３の上縁の右前隅に係止されて、被梱包物とフラップ１１ｂとの間に介装される右隅緩衝材７２と、を有する。天面緩衝材５は、梱包材料（例えば段ボール材料）によって形成される。
【００４３】
右隅緩衝材７２は、図７に示されるように、一枚の段ボール製のシート材料７５を折り曲げることによって形成される。シート材料７５は、上下方向に延びる折り曲げ線７６によって、第１ベース部７７と第２ベース部７８と区画されている。
【００４４】
第１ベース部７７の下縁には、第１係止片７９と第２係止片８０とが、所定の間隔を開けて延設されている。第１係止片７９は両下隅が切り欠かれた矩形状、第２係止片８０は逆台形状であり、第２係止片８０は第１係止片７９よりも、高さ及び幅が小さく形成されている。
【００４５】
第２ベース部７８の下縁には、第１ベース部７７寄りの部分に、左右方向に延びる複数の折り曲げ線によって四角筒状に折り曲げられる折り曲げ片８１が連接されている。さらに、第２ベース部７８の下縁には、折り曲げ片８１と所定の隙間を開けて、第３係止片８３が延設されている。第３係止片８３は、両下隅が切り欠かれた矩形状であり、第１係止片７９とほぼ同等の高さ及び幅を有する。
【００４６】
折り曲げ片８１を四角筒状に折り曲げ、折り曲げ線７６に沿って第１ベース部７７と第２ベース部７８とを直角に折り曲げることによって、図８に示されるように、第１ベース部７７と第２ベース部７８との隅に、四角筒状の本体部８５が形成される。第１係止片７９、第２係止片８０、第３係止片８３は本体部８５よりも下方に突出している。
【００４７】
次に、図３と、図９〜図１０を参照して付属品ケース６について説明する。図９は付属品ケースの展開図、図１０は付属品ケースの組立図である。付属品とは、例えば、取扱説明書や電源コード等である。
【００４８】
付属品ケース６は、図３に示されるように、中枠３の第１側板２５及び第５側板２９と、外箱２との間に介装される。付属品ケース６は、梱包材料（例えば段ボール材料）によって形成される。
【００４９】
付属品ケース６は、図９に示されるように、一枚の縦長の長方形状の段ボール製のシート材料９０を折り曲げることによって形成される。シート材料９０は、縦長の略長方形状のベース部９１を有する。
【００５０】
ベース部９１の上縁の中央部には、平面視にて台形状の突出部９２が延設されている。また、突出部９２の両側には、左右方向に延びる複数の折り曲げ線に沿って四角筒状に折り曲げられる上折り曲げ片９３が連接されている。上折り曲げ片９３は中央が開口した枠状の形状であり、開口の周縁には、突出部９２の側縁に対向する部分に、それぞれ内側に突出する爪部９４が形成されている。また、上折り曲げ片９３の上縁には、複数のスリットが形成されている。
【００５１】
ベース部９１の下縁には、左右方向に延びる折り曲げ線で折り曲げられることでベース部９１と所定の間隔を開けて対向する下折り曲げ片９５が連接されている。下折り曲げ片９５の両側縁には、それぞれスリットが形成されている。
【００５２】
ベース部９１の両側縁には、上下方向に延びる折り曲げ線で折り曲げられることで、ベース部９１及び下折り曲げ片９５との間に、上方が開口した収容部を形成する左右折り曲げ片９６が連接されている。左右折り曲げ片９６の側縁にはスリットがそれぞれ形成されている。さらに、ベース部９１の中央には、上下方向に延びる折り曲げ線に沿って切り起こされる切り起こし片９７が形成されており、切り起こし片９７にもスリットが形成されている。
【００５３】
左右折り曲げ片９６及び切り起こし片９７を折り曲げた後、上折り曲げ片９３と下折り曲げ片９５を折り曲げて、左右折り曲げ片９６及び切り起こし片９７のスリットと上折り曲げ片９３及び下折り曲げ片９５のスリットとを係合することで、図１０に示されるように、上折り曲げ片９３によって本体部１０１が形成され、ベース部９１、左右折り曲げ片９６、下折り曲げ片９５とによって収容部１０２が形成される。
【００５４】
上記構成を有する梱包箱１に被梱包物を梱包する手順について図２及び図３と、図１１〜図１３を参照して説明する。図１１は左側緩衝材を中枠に装着した状態を示す斜視図、図１２は右隅緩衝材を装着した状態を示す斜視図、図１３は付属品ケースを装着した状態を示す斜視図である。
【００５５】
まず、底ケース１０に緩衝材１０５を介して被梱包物を載置し、図２に示されるように、被梱包物の周囲に中枠３を密接させて包囲し、中枠３の側端縁２０ａ、２０ｂを突き合わせる。次に、図１１に示されるように、左側緩衝材４１を、中枠３の第１側板２５、第２側板２６、第３側板２７に外側から重ねる。そして、第１ベース部４７に形成された係止片５１を、第３側板２７に形成された溝部３５に係止させる。さらに、第３ベース部４９に形成された係止片６１を、第１側板２５に形成された切り欠き３３の溝部３３ｂに係止させる。この際、スリット５９は、切り欠き３３のスリット部３３ａに重なる。これにより、左緩衝材４１は、中枠３に対して前後方向、左右方向、及び、下方向に移動不能に係止される。また、第１〜第４本体部６５、６６、６７、６８はそれぞれ対応する側板から外方向に突出する。同様に、右側緩衝材４２を、中枠３の第３側板２７、第４側板２８、第５側板２９に、外側から重ねるように装着する。
【００５６】
次に、図１２に示されるように、右隅緩衝材７２を、中枠３の第４側板２８と第５側板２９の角の上端に、上側から装着する。まず、本体部８５が被梱包物の上方となり、第１係止片７９が第４側板２８の外側、第３係止片８３が第５側板２９の外側となるように、右隅緩衝材７２を位置決めする。そして、第４側板２８のスリット３４に、第１係止片７９と第２係止片８０との間から第１ベース部７７を通し、第５側板２９の切り欠き３３のスリット部３３ａと右側緩衝材４２の第３側板４９に形成されたスリット５９とに、第３係止片８３の内側において第２ベース部７８を通す。これにより、第１係止片７９は、第４側板２８から外方向にほぼ直角に突出し、第３係止片８３は、第５側板２９から外方向にほぼ直角に突出し、本体部８５は被梱包物の上面に載置される。同様に、左隅緩衝材７１を、中枠３の第１側板２５と第２側板２６の角の上端に、上側から装着する。
【００５７】
次に、図１３に示されるように、付属品ケース６を、中枠３の第１側板２５及び第５側板２９の外側に装着する。この際、まず、第１側板２５と第５側板２９とに形成された係止片３１をそれぞれ上方向に折り曲げておく。そして、各係止片３１が折り曲げられて形成された空間に、ベース部９１から延設された突出部９２が重なるように、付属品ケース６を位置決めした後、係止片３１を下方向に折り曲げる。この際、各爪部９４を折り曲げておき、各係止片３１を本体部１０１の空間を通して突出部９２に重なるまで折り曲げられる。その後、各爪部９４を元の形状に折り曲げることで、各係止片３１は、両爪部９４で左右方向から挟まれると共に、上方向への折り曲げが規制される。
【００５８】
これにより、第１側板２５の側端縁２０ａと第５側板２９の側端縁２０ｂが突き合わされて、第１側板２５と第５側板２９とが付属品ケース６で固定され、本体部１０１と収納部１０２とは、中枠３の第１側板２５と第５側板２９から外方向に突出する。
【００５９】
最後に、外ケース１１を中枠３の外側に被せて、外ケース１１の周壁部１１ａと底ケース１０の周壁部１０ｂとを連結する。このように組み立てられた梱包箱１においては、被梱包物の周囲が中枠３に密接して包囲されている。そして、左側及び右側緩衝材４１、４２の第１〜第４本体部６５、６６、６７、６８と、付属品ケース６の本体部１０１と収容部１０２とは、外ケース１１の周壁部１１ａに当接するので、中枠３は、これらの本体部及び収容部の厚さの隙間を介して、外ケース１１の周壁部１１ａに対して位置決めされる。この際、第１〜第４本体部６５、６６、６７、６８と、付属品ケース６の本体部１０１と収容部１０２とは、上下方向において異なる位置に配置される。つまり、被梱包物の上下方向における中央付近を含む複数の位置に対応している。さらに、天面緩衝材５においても、左及び右隅緩衝材７１、７２の第１係止片７９と第３係止片８３の外端縁は、外ケース１１の周壁部１１ａに当接する。
【００６０】
さらに、被梱包物の上面と外ケース１１のフラップ１１ｂとの間には、左隅及び右隅緩衝材７１、７２の本体部８５が介装されて、被梱包物の上方に所定の高さの空間が確保されている。
【００６１】
上記説明したように本発明の梱包箱１は、被梱包物の側面に設けられた開閉部を固定するための接着部材を削減できるように、被梱包物の周囲を密接して包囲する中枠３を有する構成において、中枠３を外箱２に対して位置決めする左側及び右側緩衝材４１、４２のベース部４７、４８、４９を段ボール等のシート状の梱包材料で形成している。さらに、これらの緩衝材４１、４２を係止片５１、６１によって中枠３に係止し、本体部６５、６６、６７、６８を分散して配置している。
【００６２】
したがって、パルプモールドや発泡樹脂で形成される緩衝材に比べて、使用される梱包材料の量を削減することができ、コストの削減や軽量化が可能となる。また、組み立てられた状態でも嵩張らないので、取扱いが容易になる。さらに、折り曲げを解除することでシート状に戻るので、廃棄する際の取り扱いも容易になる。また、本体部を分散して形成できるので、被梱包物の側面の強度等に応じた適宜な位置に配置できる。
【００６３】
さらに、左側及び右側緩衝材４１、４２の第１〜第４本体部６５、６６、６７、６８は、梱包材料で形成された一枚のシート材料を折り曲げることで形成されているので、緩衝材４１、４２を折り曲げ作業のみの簡単な作業で形成することができる。また、緩衝材４１、４２の原材料を一種類とすることで、原材料費を削減できる。ただし、本体部を、段ボール積載ブロックや樹脂製のブロックを、ベース部４７、４８、４９の所定の位置に貼付することで形成してもよい。
【００６４】
さらに、天面緩衝材５を設けたことで、被梱包物とフラップ１１ｂとの間に所定の高さの空間を確保できる。また、天面緩衝材５は、第１係止片７９と第３係止片８３とが、中枠３の側板と外ケース１１の周壁部１１ａとの間に介装されているので、これらの係止片によっても、中枠３を外ケース１１に対して位置決めすることができる。さらに、中枠３と外ケース１１の高さを同等としたので、上下方向圧縮強度を高めることができる。
【００６５】
さらに、従来より備えられている付属品ケース６を中枠６の側端縁２０ａ、２０ｂの固定に使用しているので、別部材を新たに使用することなく、中枠３を被梱包物の周囲に密接させて包囲することができる。また、付属品ケース６に本体部１０１を設けることで、中枠３の外箱２に対する位置決めも行うことができる。ただし、中枠３として予め筒状に形成されたものを使用してもよい。
【００６６】
なお、本発明の梱包箱１は、画像形成装置以外の家電製品や産業機器等の梱包に使用することができる。
【００６７】
さらに、上記した本発明の実施形態の説明は、本発明に係る梱包箱における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６８】
１  梱包箱
２  外箱
３  中枠
４  緩衝材
５  天面緩衝材
６  付属品ケース
１１  外ケース
１１ａ  周壁部（側板）
１１ｂ  フラップ（蓋体）
３１  係止片（被係止部）
４７  第１ベース部
４８  第２ベース部
４９  第３ベース部
５１、６１  係止片
６５  第１本体部
６６  第２本体部
６７  第３本体部
６８  第４本体部
７９、８３  係止片
８５  本体部
９４  爪部（係止部）
【図１】
0006372438.tif 000002
【図２】
0006372438.tif 000003
【図３】
0006372438.tif 000004
【図４】
0006372438.tif 000005
【図５】
0006372438.tif 000006
【図６】
0006372438.tif 000007
【図７】
0006372438.tif 000008
【図８】
0006372438.tif 000009
【図９】
0006372438.tif 000010
【図１０】
0006372438.tif 000011
【図１１】
0006372438.tif 000012
【図１２】
0006372438.tif 000013
【図１３】
0006372438.tif 000014